(57)【特許請求の範囲】
【請求項１】
略正方形状の基盤部と、この基盤部の略中央部に上方へ向けて一体に立設され、内部に、前記基盤部に開口する空洞部が形成された略円錐状の支柱部とからなるコーン型支柱であって、前記基盤部の側縁の少なくとも一つには、斜め上方へ向かう姿勢規制片が設けられているとともに、前記基盤部の側縁と前記支柱部との間に、前記基盤部の上方へ突出する隙間保持用突起が設けられてなり、複数のコーン型支柱を、前記支柱部を前記空洞部に挿入して上下に重ね合わせた際に、上下の前記姿勢規制片が対峙させられるとともに、上方の前記基盤部が下方の前記基盤部に設けられた前記隙間保持用突起上に当接させられるようになされていることを特徴とするコーン型支柱。
【請求項２】
前記姿勢規制片が前記基盤部の複数の側縁に設けられていることを特徴とする請求項１に記載のコーン型支柱。
【請求項３】
前記姿勢規制片が、前記基盤部の側縁のほぼ全長に亘って設けられていることを特徴とする前記請求項１または請求項２に記載のコーン型支柱。
【請求項４】
前記姿勢規制片が、前記基盤部の側縁に沿って間隔をおいて複数設けられていることを特徴とする請求項１または請求項２に記載のコーン型支柱。
【請求項５】
前記隙間保持用突起が、前記支柱部と前記基盤部の複数の側縁との間に設けられていることを特徴とする請求項１に記載のコーン型支柱。
【請求項６】
前記隙間保持用突起が、前記基盤部の側縁に沿って線状に設けられていることを特徴とする請求項１または請求項５に記載のコーン型支柱。
【請求項７】
前記隙間保持用突起が、前記基盤部の側縁に沿って間隔をおいて複数設けられていることを特徴とする請求項１または請求項５に記載のコーン型支柱。
【発明の詳細な説明】
【技術分野】
【０００１】
本発明は、特に道路や工事現場、あるいはイベント会場等において、通路や資材置き場といった特別な領域を区画する際に用いられるコーン型支柱に関するものである。
【背景技術】
【０００２】
前述したコーン型支柱は、複数のコーン型支柱で区画すべき領域に沿って配置することにより、特定の領域を設定するようにしており、また、前述した特定領域を解除する際には、前記複数のコーン型支柱を回収することによって行なわれる。
【０００３】
したがって、特定領域の設定やその解除を容易に行なうことができ、かつ、柵などの特別な工事を必要としないことから幅広く使用されている。
【０００４】
ところで、前述したコーン型支柱は、特許文献１に示すように、設置時の安定性を確保するため、正方形状の基盤部を備え、その基盤部上に円錐形の支柱部を突設した構成となっている。
【０００５】
また、前記基盤部および前記支柱部は、その内部が下方に開放された空洞となされていて、一つのコーン型支柱の支柱部を、その空洞内に他のコーン型支柱の支柱部を覆うように被せて相互に嵌合させることにより、複数のコーン型支柱を積み重ねて収納するようにしている。
【先行技術文献】
【特許文献】
【０００６】
【特許文献１】実用新案登録第３０２９４５９号公報
【発明の概要】
【発明が解決しようとする課題】
【０００７】
前述した従来の技術では、複数のコーン型支柱を上方に積み重ねて収納することにより、その収納状態における占有面積を減少させて、収納時や搬送時における占有スペースを少なくする効果を得ている。
【０００８】
しかしながら、このような従来のコーン型支柱においても、なお、次のような改善すべき問題点が残されている。
【０００９】
すなわち、前記コーン型支柱の基部には、前述したように設置時の安定した自立性を確保するために、正方形状の基盤部が設けられている。
このような構成の複数のコーン型支柱を、無造作に、相互に嵌合させつつ積み上げると、上下に重なり合う前記基盤部の向きがまばらになるという問題点である。
【００１０】
このように前記基盤部の向きが不揃いであると、上下に位置する前記基盤部間において、一方の基盤部の角部が他方の側縁から外方へ突出させられることとなる。
【００１１】
そして、前記角部が前記辺部から突出する分、積み重ねられた複数のコーン型支柱の収納スペースが広がってしまう。
【００１２】
このような不具合を解消するためには、前記複数のコーン型支柱を積み上げる際に、各コーン型支柱の基部の側縁どうしが揃うように、上方のコーン型支柱の向きを調整しつつ下方のコーン型支柱に被せる必要があり、コーン型支柱の収納作業が繁雑なものとなる。
【００１３】
一方、前述したように積み上げられた複数のコーン型支柱では、内側のコーン型支柱の支柱部の外面が、外側の支柱部の内面に、ほぼ全面に亘って面接触させられる。
【００１４】
ここで、前記コーン型支柱を被せる際の力が大きい場合や、急激に落とし込まれた場合に、支柱部間の接触圧が過剰に大きくなってしまうことも想定される。
また、前記コーン型支柱は、２０個ないし３０個を積み上げて収納することがあり、この場合、下方のコーン型支柱にかかる荷重が大きくなって前述した接触圧が増加する。
【００１５】
このように、前記支柱部どうしが、ほぼ全面に亘って大きな接触圧によって嵌合させられると、これらのコーン型支柱を分離する際に大きな力が必要となり、この結果、コーン型支柱の設置作業を煩雑なものとしている。
【００１６】
本発明は、前述した従来の技術において残されている問題点を解決せんとしてなされたもので、正方形状の基盤部によりコーン型支柱の設置時の安定性を確保しつつ、収納時に前記基盤部の整列操作を容易に行ない、また、積み重ねた状態の複数のコーン型支柱の分離操作を簡便なものとすることを解決すべき課題とする。
【課題を解決するための手段】
【００１７】
本発明のコーン型支柱は、前述した課題を解決するために、略正方形状の基盤部と、この基盤部の略中央部に上方へ向けて一体に立設された略円錐状の支柱部からなり、前記基盤部の側縁の少なくとも一つには、斜め上方へ向かう姿勢規制片が設けられているとともに、前記基盤部の側縁と前記支柱部との間に、前記基盤部の上方へ突出する隙間保持用突起が設けられている。
【００１８】
本発明のコーン型支柱にあっては、前記基盤部を設置面に置いて設置される。
この状態において、前記基盤部が略正方形状に形成されていることにより、この基盤部の各辺によって倒れが防止されて安定した設置がなされる。
【００１９】
そして、回収時には、一つのコーン型支柱を持ち上げて、その空洞部に他のコーン型支柱の支柱部が入り込むように重ね合わせる。
【００２０】
この際に、重ね合わせるコーン型支柱をその中心軸線回りに回動させることにより、上方のコーン型支柱の姿勢規制片の外面を、下方のコーン型支柱の姿勢規制片の面に対峙させる。
【００２１】
上方のコーン型支柱を下降させると、上方のコーン型支柱の姿勢規制片が下方のコーン型支柱の姿勢規制片にガイドされつつ積み重ねられる。
【００２２】
ここで、前記姿勢規制片は、基盤部の側縁に対し、一定の位置関係となされていることから、前述したように、上方のコーン型支柱の姿勢規制片が下方のコーン型支柱の姿勢規制片にガイドされることにより、上下のコーン型支柱の基盤部どうしも、側縁および角が上下方向に揃った状態で積み重ねられる。
【００２３】
したがって、コーン型支柱は積み重ねられた状態で、それぞれの基盤部が整列状態となり、保管時の占有面積が、前記基盤部の形状の範囲内に収められる。
【００２４】
このように、重ね合わせるコーン型支柱の基盤部の向きを合わせる作業がきわめて簡便な作業となる。
【００２５】
一方、これら複数のコーン型支柱を重ね合わせた際に、上方のコーン型支柱の基盤部が、下方のコーン型支柱の基盤部上に設けられた隙間保持用突起に当接される。
【００２６】
このように上方の基盤部が下方の隙間保持用突起の上部に当接すると、両コーン型支柱の上下方向の相対位置が規制され、重ね合わされる上下の支柱部間の間隔若しくは接触圧が一定に保持される。
【００２７】
ここで、隙間保持用突起の高さを調整することにより、上下の支柱部間の隙間量が調整され、若しくは、これらの接触圧が調整される。
【００２８】
これによって、積み重ねられる複数のコーン型支柱は、これらの間に隙間を形成しつつ、若しくは、所定の接触圧で積み重ねられる。
【００２９】
そして、上下のコーン型支柱間を接触させた状態で積み重ねる場合、両者間の接触圧を適切に設定することにより、積み重ねられた複数のコーン型支柱を持ち運ぶ際に、これらのコーン型支柱間のずれを抑制して、その持ち運びを容易にすることができる。
【００３０】
また、前述した接触圧はコーン型支柱の持ち運びに必要な最小限度の接触圧にすることにより、積み重ねられたコーン型支柱を分離する際の抵抗を極力小さくして、コーン型支柱の分離を円滑なものとすることができる。
【００３１】
前記姿勢規制片は、基盤部の複数の側縁に設けることが好ましい。
このような構成にすることで、コーン型支柱を重ね合わせる際に、下方のコーン型支柱による上方のコーン型支柱のガイドを複数箇所で行なうことにより、下方のコーン型支柱の、上方のコーン型支柱に対する中心軸線周りの相対位置調整作用を高めることができる。
【００３２】
また、前記姿勢規制片を基盤部の側縁のほぼ全長に亘って設けることが好ましい。
このような構成とすることにより、複数のコーン型支柱を重ね合わせる際に、下方のコーン型支柱によるガイド面を大きくして、安定したガイド機能を得ることができる。
【００３３】
前記姿勢規制片は、基盤部の側縁に沿って間隔をおいて複数設けることもできる。
このような構成とすることにより、基盤部上の水や埃等を姿勢規制片間から基盤部の外へ容易に排出することができる。
【００３４】
前記隙間保持用突起は、支柱部と基盤部の複数の側縁との間に設けることが好ましい。
このような構成とすることにより、重ね合わされる下方のコーン型支柱の隙間保持用突起による上方のコーン型支柱の支持を複数箇所で行なうことにより、上方のコーン型支柱の支持を安定させることができる。
【００３５】
前記隙間保持用突起は、基盤部の側縁に沿って線状に設けることもできる。
このような構成にすることにより、重ね合わされる上方のコーン型支柱を支持する隙間保持用突起の支持領域を大きくして、その支持を更に安定化することができる。
【００３６】
前記隙間所持用突起は、基盤部の側縁に沿って間隔をおいて複数設けることもできる。
このような構成とすることにより、支柱部との間の基盤部上の水や埃を基盤部の側縁へ簡便に排出することができる。
【発明の効果】
【００３７】
このように、本発明のコーン型支柱は、設置時の安定性を確保しつつ、収納時において前記基盤部の整列操作を容易に行ない、また、積み重ねた状態の複数のコーン型支柱の分離操作を簡便なものとすることができる。
【図面の簡単な説明】
【００３８】
【図１】本発明の第１の実施形態を示す正面図である。
【図２】本発明の第１の実施形態を示す平面図である。
【図３】本発明の第１の実施形態を示す縦断面図である。
【図４】本発明の第１の実施形態を示すもので、コーン型支柱の多数を積み重ねた状態を示す縦断面図である。
【図５】本発明の第２の実施形態を示す縦断面図である。
【図６】本発明の第３の実施形態を示す平面図である。
【図７】本発明の第４の実施形態を示す平面図である。
【発明を実施するための形態】
【００３９】
以下、本発明の第１の実施形態を図１ないし図４を参照して説明する。
これらの図において、符号１は、本実施形態に係わるコーン型支柱を示し、このコーン型支柱１は、略正方形状の基盤部１ａと、この基盤部１ａの略中央部に上方へ向けて一体に立設された略円錐状の支柱部１ｂとからなり、基盤部１ａの側縁Ａ〜Ｄには、斜め上方へ向かう姿勢規制片２が設けられているとともに、基盤部１ａの側縁Ａ〜Ｄと支柱部１ｂとの間に、基盤部１ａの上方へ突出する隙間保持用突起３が設けられている。
【００４０】
前記姿勢規制片２は、本実施形態において、図２に示すように、基盤部１ａの側縁Ａ〜Ｄのほぼ全長に亘って設けられており、その両端部が、上方にいくに従い漸次姿勢規制片２の長さ方向内側へ向かうように円弧状に形成されている。
【００４１】
したがって、姿勢規制片２の両端部は、上方へいくに従い広くなるように開放されている。
【００４２】
前記隙間保持用突起３は、本実施形態においては、図２に示すように、基盤部１ａの各側縁に沿って設けられており、基盤部１ａの厚みとほぼ同等の厚みを有し、断面が半円弧状に形成されている。
【００４３】
そして、基盤部１ａの各側縁に沿うように線状に形成されており、かつ、これらの隙間保持用突起３が略正方形を形成するように形成されている。
【００４４】
また、本実施形態においては、基盤部１ａの四隅に貫通孔４が形成されている。
【００４５】
このように構成された本実施形態のコーン型支柱１にあっては、基盤部１ａを設置面に置くことにより設置される。
この状態において、基盤部１ａが略正方形状に形成されていることにより、この基盤部１ａによって倒れが防止されて安定した設置がなされる。
【００４６】
そして、回収時には、一つのコーン型支柱１を持ち上げて、その空洞部に他のコーン型支柱１の支柱部１ｂが入り込むように重ね合わせる。
【００４７】
この際に、重ね合わせるコーン型支柱１をその中心軸線回りに回動させることにより、上方のコーン型支柱１の姿勢規制片２の外面を、下方のコーン型支柱１の姿勢規制片２の内面に対峙させる。
【００４８】
これより上方のコーン型支柱１を下降させると、上方のコーン型支柱１の姿勢規制片２が下方のコーン型支柱１の姿勢規制片２にガイドされつつ積み重ねられる。
【００４９】
ここで、姿勢規制片２は、基盤部１ａの側縁Ａ〜Ｄに対し、一定の位置関係となされていることから、前述したように、上方のコーン型支柱１の姿勢規制片２が下方のコーン型支柱１の姿勢規制片２にガイドされることにより、上下のコーン型支柱１の基盤部１ａどうしも、図４に示すように、側縁Ａ〜Ｄおよび角が上下方向に揃った状態で積み重ねられる。
【００５０】
したがって、コーン型支柱１は積み重ねられた状態で、それぞれの基盤部１ａが整列状態となり、保管時の占有面積が、基盤部１ａの形状の範囲内に収められる。
【００５１】
このように、重ね合わせるコーン型支柱の基盤部の向きを合わせる作業がきわめて簡便な作業となる。
【００５２】
一方、複数のコーン型支柱１を重ね合わせた際に、上方のコーン型支柱１の基盤部１ａが、下方のコーン型支柱１の基盤部１ａ上に設けられた隙間保持用突起３に当接させられる。
【００５３】
このように上方の基盤部１ａが下方の隙間保持用突起３の上部に当接させられると、両コーン型支柱１の上下方向の相対位置が規制され、重ね合わされる上下の支柱部１ｂ間の間隔若しくは接触圧が一定に保持される。
【００５４】
ここで、隙間保持用突起３の高さを調整することにより、上下の支柱部１ｂ間の隙間量が調整され、若しくは、これらの接触圧が調整される。
【００５５】
これによって、積み重ねられる複数のコーン型支柱１は、それぞれの間に隙間を形成しつつ、若しくは、所定の接触圧で積み重ねられる。
【００５６】
そして、コーン型支柱１を接触させた状態で積み重ねる場合、上下両者間の接触圧を適切に設定することにより、積み重ねられた複数のコーン型支柱１を持ち運ぶ際に、これら上下のコーン型支柱１の上下間のずれを抑制して、その持ち運びを容易にすることができる。
【００５７】
また、前述した接触圧をコーン型支柱１の持ち運びに必要な最小限度の接触圧とすることにより、積み重ねられたコーン型支柱１を分離する際の抵抗を極力小さくして、コーン型支柱１の分離を円滑なものとすることができる。
【００５８】
そして、姿勢規制片２を基盤部１ａの各側縁Ａ〜Ｄに設けることにより、コーン型支柱１を重ね合わせる際に、下方のコーン型支柱１による上方のコーン型支柱１のガイドを複数箇所で行なうことで、下方のコーン型支柱１の、上方のコーン型支柱１に対する中心軸線周りの相対位置調整作用を高めることができる。
【００５９】
また、姿勢規制片２を基盤部１ａの側縁のほぼ全長に亘って設けることにより、複数のコーン型支柱１を重ね合わせる際に、下方のコーン型支柱１によるガイド面を大きくして、安定したガイド機能を得ることができる。
【００６０】
さらに、隙間保持用突起３を、支柱部１ｂと基盤部１ａの全ての側縁Ａ〜Ｄとの間に設けることにより、重ね合わされる下方のコーン型支柱１の隙間保持用突起３による上方のコーン型支柱１の支持を複数箇所で行なうことにより、上方のコーン型支柱の支持を安定させることができる。
【００６１】
また、隙間保持用突起３を直線状に形成したことにより、載置される基盤部１ａの支持を安定して行なうことができる。
【００６２】
図５は本発明の第２の実施形態を示すもので、隙間保持用突起３を中実構造としたものである。
このような構成とすることにより、基盤部１ａの重量を増加させて、設置時の安定性を向上させることができる。
【００６３】
図６は本発明の第３の実施形態を示すもので、第１の実施形態において示した姿勢規制片２をその中間部で２分割した構成としたものである。
このような構成とすることにより、基盤部１ａ上の水や埃等を姿勢規制片２間から基盤部の外へ容易に排出することができる。
【００６４】
図７は本発明の第４の実施形態を示すもので、第１の実施形態において示した隙間保持用突起３を、その長さ方向に分割して構成したものである。
このような構成とすることにより、支柱部１ｂとの間の基盤部１ａ上の水や埃を基盤部１ａの側縁Ａ〜Ｄへ簡便に排出することができる。
【００６５】
なお、前記実施形態において示した各構成部材の諸形状や寸法等は一例であって、設計要求等に基づき種々変更可能である。
【符号の説明】
【００６６】
１  コーン型支柱
１ａ  基盤部
１ｂ  支柱部
２  姿勢規制片
３  隙間保持用突起
Ａ  側縁
Ｂ  側縁
Ｃ  側縁
Ｄ  側縁
【要約】
【課題】正方形状の基盤部によりコーン型支柱の設置時の安定性を確保しつつ、収納時において基盤部の整列操作を容易に行ない、また、積み重ねた状態の複数のコーン型支柱の分離操作を簡便なものとすることを解決すべき課題とする。
【解決手段】略正方形状の基盤部１ａと、この基盤部の略中央部に上方へ向けて一体に立設された略円錐状の支柱部１ｂとからなり、基盤部の側縁Ａ〜Ｄの少なくとも一つには、斜め上方へ向かう姿勢規制片２が設けられているとともに、基盤部の側縁と支柱部との間に、基盤部の上方へ突出する隙間保持用突起３が設けられていることを特徴とする。
【選択図】図２【図１】
0006983447.tif 000002
【図２】
0006983447.tif 000003
【図３】
0006983447.tif 000004
【図４】
0006983447.tif 000005
【図５】
0006983447.tif 000006
【図６】
0006983447.tif 000007
【図７】
0006983447.tif 000008